(57)【要約】【解決手段】電子デバイスとの使用のための小型のロープロファイルプラグコネクタが、ガイドフレームにおける嵌合穴に係合する一対のフックを備えるラッチ部材を提供し、それは、ガイドフレームまたは反対側のコネクタもしくは筺体から容易に係脱され得る。コネクタは、コネクタ筺体とラッチ部材との間に置かれた細長いアクチュエータを含み、アクチュエータの後方移動がラッチ部材に上昇動作を伝えるように、アクチュエータが、コネクタ筺体上の凹部内に捕捉される円筒形カム部材において終端する。【選択図】図１
2016524308.tif 000002
【特許請求の範囲】
【請求項１】
前方部分および後方部分を有するコネクタ筺体であって、前記前方部分が、嵌合レセプタクル内に収まるように寸法決定され、かつ第１の面を有し、前記後方部分が、前記コネクタ筺体上に配置された第２の面を有し、前記第１および第２の面が異なる面内に配置される、コネクタ筺体と、
ラッチ部材であって、前記後方部分の第２の面に取り付けられた第１の端部、前記前方部分の第１の面の上に少なくとも部分的に延びる第２の端部、ならびに前記ラッチ部材の第１の端部と第２の端部との間に配置されたカム面を含む、ラッチ部材と、
該ラッチ部材とコネクタ筺体との間に少なくとも部分的に置かれ、かつ該コネクタ筺体に沿って長さ方向に延びるアクチュエータであって、該アクチュエータが、その第１の端部に配置されたカム部材を含み、該カム部材が、前記コネクタ筺体内に配置された凹部内に捕捉され、かつ第１の操作位置と第２の操作位置との間で移動可能であり、第１の方向に前記アクチュエータを引っ張ることが、前記カム部材を第１の操作位置から第２の操作位置に移動させるように、前記カム面が凹部内に少なくとも部分的に配置され、それによって、前記カム部材がカム面に接触し、前記第１の面から離れて上方に前記ラッチ部材を持ち上げる、アクチュエータと、を備える、コネクタ。
【請求項２】
前記アクチュエータが、前記カム部材の上におよびそれ自体の上に折り畳まれた細長い可撓性片を更に含む、請求項１に記載のコネクタ。
【請求項３】
前記カム部材が、前記アクチュエータとは別個に形成されたロールピンを含む、請求項１に記載のコネクタ。
【請求項４】
前記カム面が、前記アクチュエータおよびロールピンの後方移動が前記自由端を上方に持ち上げることをもたらすような角度で延び、前記カム面が、前記ロールピン上に戻り力を加える、請求項３に記載のコネクタ。
【請求項５】
前記凹部およびカム部材が、前記カム面より幅が広い、請求項３に記載のコネクタ。
【請求項６】
前記カム面が、前記ラッチ部材から下方および後方に延び、前記コネクタ筺体凹部の中に延びる自由端において終端する、請求項１に記載のコネクタ。
【請求項７】
前記アクチュエータが、前記凹部に近接してその中に配置されたスロットを含み、前記カム面が、前記スロットを少なくとも部分的に通って延びる、請求項６に記載のコネクタ。
【請求項８】
前記カム面が、前記ラッチ部材の対応する幅よりも小さな幅を有する、請求項７に記載のコネクタ。
【請求項９】
前記カム面が、前記第１の方向から角度をオフセットされた第２の方向に延び、引かれるときに前記カム部材と接触したままである、請求項１に記載のコネクタ。
【請求項１０】
前記ラッチ部材が、細長い基部および２つの翼を備えるＴ字形構成を有し、前記基部が、前記凹部の上に後方部分に沿って延びる、請求項１に記載のコネクタ。
【請求項１１】
前記カム面が、前記基部上に配置され、前記翼の方へ延びる、請求項１０に記載のコネクタ。
【請求項１２】
前記後方部分が、長さ方向チャネルを含み、前記アクチュエータが、前記チャネル内に配置され、前記カム部材が、前記凹部内に配置される、請求項１０に記載のコネクタ。
【請求項１３】
長手方向軸に沿って延びるコネクタ筺体であって、レセプタクルアセンブリと嵌合するように構成されたコネクタ筺体と、
該コネクタ筺体によって支持され、かつ第１および第２の垂直方向に選択的に移動することができるラッチ部材であって、前記レセプタクルアセンブリとラッチをかけたりラッチ解除したりするように構成された係合端部およびカム面を含むラッチ部材と、
該ラッチ部材とコネクタ筺体との間に置かれたアクチュエータであって、該アクチュエータが、前記カム面に近接したカム部材を含み、前記カム面は、前記アクチュエータが長手方向軸に沿って第１の水平方向に引かれるときに前記カム部材が前記カム面に接触して係合端部を上げるように、角度が付けられ、前記カム面は前記カム部材を長手方向軸に沿って第２の水平方向に移動させ、前記第１および第２の水平方向は異なる、アクチュエータと、を備える、プラグコネクタ。
【請求項１４】
前記アクチュエータが、操作可能および把持する両端部を有する細長片を含み、前記操作可能な端部が、前記アクチュエータの本体部分とカム部材との間に配置されたスロットを含み、前記カム面が、前記アクチュエータのスロットを通って延びる、請求項１３に記載のプラグコネクタ。
【請求項１５】
前記アクチュエータが、その中に配置された開口を備えるプラスチック片から形成され、該プラスチック片が、前記カムの部材の上に折り畳まれおよびそれ自体に取り付けられ、前記開口が、前記アクチュエータのスロットを画定する、請求項１４に記載のプラグコネクタ。
【請求項１６】
前記コネクタ筺体が、前記長手方向軸に対してある角度で延びる凹部を含み、前記カム部材が、前記凹部内に配置され、前記カム面が、前記凹部の中に延び、前記凹部が、前記アクチュエータ上の引っ張りに応答して前記カム部材の移動を制限する長さを有する、請求項１４に記載のプラグコネクタ。
【請求項１７】
前記ラッチ部材が、前記凹部の一部の上に延び、前記カム部材をその中に捕捉する、請求項１６に記載のプラグコネクタ。
【請求項１８】
前記凹部が、前記カム面の長さよりも大きな長さを有する、請求項１６に記載のプラグコネクタ。
【請求項１９】
前記カム面が、前記第１の水平方向に対してある角度で延びる、請求項１３に記載のプラグコネクタ。
【請求項２０】
長手方向軸に沿って延びるコネクタ筺体であって、レセプタクルアセンブリと嵌合するように構成され、かつその中に形成された凹部を含むコネクタ筺体と、
該コネクタ筺体によって支持され、かつ前記凹部の上に延びるラッチ部材であって、該ラッチ部材が、ラッチおよびラッチ解除方向に選択的に移動することができ、前記ラッチ部材が、前記レセプタクルアセンブリにラッチをかけたりラッチ解除したりするように構成された係合端部を含み、前記ラッチ部材が、前記コネクタ筺体凹部の中に延びる角度が付いたカム面を更に含む、ラッチ部材と、
該ラッチ部材とコネクタ筺体との間に置かれたアクチュエータであって、該アクチュエータが、カム部材を含み、該カム部材は前記凹部内に拘束され、前記アクチュエータが第１の方向に引かれるときに、前記カム部材がカム面に沿って乗り、前記ラッチ部材をラッチ解除方向に移動させるように、前記カム面は前記アクチュエータに対して角度が付いており、前記ラッチ部材は、該ラッチ部材がラッチ方向に移動するように前記カム部材を第２の水平方向に移動させる戻り力を前記カム部材に加える、アクチュエータと、を備える、ラッチコネクタ。
【発明の詳細な説明】
【技術分野】
【０００１】
関連出願
本出願は、「改良型ロープロファイルラッチコネクタ（Ｉｍｐｒｏｖｅｄ  Ｌｏｗ  Ｐｒｏｆｉｌｅ  Ｌａｔｃｈｉｎｇ  Ｃｏｎｎｅｃｔｏｒ）」と題され、２０１３年７月８日に米国特許商標庁に出願された先願の米国仮特許出願第６１／８４３，５６８号に対する優先権を主張するものである。前述の出願の内容は、その全体が本明細書に完全に組み込まれる。
【背景技術】
【０００２】
本開示は、一般に、小型およびロープロファイルコネクタに関するものであり、より具体的には、筺体またはガイドフレーム内に受け入れられるプラグ着脱可能型コネクタに関するものであり、それは、外部ラッチを作動し、筺体またはガイドフレームと嵌合してコネクタを係合または係脱するための改良された作動機構を有する。
【０００３】
小型およびロープロファイルコネクタ、例えばＳＦＰ（スモールフォームファクタプラグ着脱可能）用途において使用されるものなどが、スペースを重視する電子デバイスにおいて所望される。そのようなコネクタは、ルータやサーバとの接続を行うために広く使用され、サイズが小型である。しかしながら、この種の電子コネクタに関する１つの問題は、それらが、それらが接続されている構成要素から分離するか切断される傾向にある。コネクタ、特にプラグコネクタは、それらの接続をより確実にさせると共に分離の可能性を低くするラッチ機構に依存する。コネクタがより小さくなるにつれて、また、電子デバイスにおけるレセプタクルコネクタの密度が増加するにつれて、プラグコネクタラッチ機構を係脱する単純な動作がますますより困難になる。
【０００４】
本開示の譲受人に対して２００８年４月８日に発行された米国特許第７，３５４，２９２号であって、その内容が本明細書においてその全体が参照によってここに組み込まれる米国特許は、プラグコネクタを記載し、それにおいて、ラッチ機構が、一体型ロールピンを有するプルタブによって作動される片持ちラッチ部材を含む。プルタブは、ナイロンから形成され、スロットとタブの配列によって引き過ぎることが阻止される。コネクタ筺体上の突起は、プルタブのスロット内に受け入れられ、移動を制限することが意図され、プルタブの過剰運動を阻止する。しかしながら、プルタブがナイロン材料から作成されて、そのナイロン材料は変形にさらされ、プルタブの繰り返される使用が、そのスロットの伸長を結果としてもたらし得、それは、ラッチ機構をその初期位置に戻すプルタブの能力を無くす可能性がある。これらの既知のコネクタのプルタブ上に過度の力を及ぼすことは、アクチュエータへの損傷を生じさせ、アクチュエータの交換を要求していた。
【０００５】
本開示は、前述の欠点を克服する小型およびロープロファイルプラグ着脱可能なコネクタに関するものである。
【発明の概要】
【課題を解決するための手段】
【０００６】
したがって、ロープロファイルコネクタであって、それを反対側のレセプタクルに固定するラッチ機構を備える、ロープロファイルコネクタが提供される。これに関して、高密度電子デバイスにおいて使用可能なロープロファイルプラグコネクタが提供され、ラッチ機構は、組み立てて操作することが単純であり、範囲内におけるプルタブの伸長やラッチ機構の可能な有害動作を阻止する最小限の数の構成要素および構成を使用する。
【０００７】
本開示によれば、ガイドフレームとの嵌合のためのコネクタまたはレセプタクルコネクタを収容する他の筺体が、その上の複数の導電性接触を支持する回路カードを収容するコネクタ筺体を備えている。接触は、ケーブル内の導体に対して終端され、コネクタ筺体は、ガイドフレームの一部内に受け入れられた前方嵌合端部を含む。コネクタ筺体は、ガイドフレームの外部にとどまる後方本体部分を更に含み、コネクタ筺体前方嵌合端部と後方本体部分が、コネクタ筺体の長手方向軸に沿って共に整列される。ラッチ機構は、コネクタ筺体上に、主としてその本体部分上に配置され、ラッチ機構のラッチアームを反対側のガイドフレームとの係合から係脱するアクチュエータ上の引く動作に応答する片持ち構成を有する。
【０００８】
コネクタ筺体本体部分は、ラッチ機構の実質的部分を受け入れるスロットを有し、ラッチ機構が、コネクタ筺体の長さ方向に延びる細長いラッチアームを有する。ラッチ機構の２つの翼部分は、ラッチ機構が片持ち部材として機能するようにコネクタ筺体に固定される。ラッチアームの自由端は、反対側のレセプタクルコネクタを囲む、反対側のガイドフレームまたは筺体において開口に係合する１つ以上のフックを含んでもよい。ラッチ部材は、後方に延びるカム面を含み、ユーザが単純な引き動作でラッチ部材を持ち上げ得るように、摺動アクチュエータが、ラッチ機構を上方に操作するように提供される。アクチュエータは、ラッチアームとコネクタ筺体の外部面との間に置かれる。アクチュエータは、アクチュエータのカム部材を画定するロールピンの周りを囲むプルタブの形態を取る。ロールピンは、コネクタ筺体上に配置された凹部内に捕捉され、この凹部が、コネクタ筺体に対して長さ方向のロールピンの移動を制限する。ラッチ部材カム面は、ラッチ部材の片持ちアームが、それが引かれるときにアクチュエータカム部材に力を加えるような手法で角度が付けられ、この力は、アクチュエータカム部材をその元の位置に戻すのに役立ち、その位置で、ラッチ部材がその下方位置にある。コネクタ筺体にカム面を維持することは、コネクタの高さの低減に寄与する。
【０００９】
本開示のこれらのおよび他の目的、特徴ならびに利点は、以下の発明を実施するための形態の考察を通して明確に理解されることになる。
【図面の簡単な説明】
【００１０】
本開示の構造や動作の機構および様態は、その更なる目的や利点と共に、添付の図面に関係して解釈される、以下の発明を実施するための形態を参照して最も良く理解されるであろう。そこで、同じ符号は、同じ要素を特定する。
【００１１】
【図１】本開示に従って構築されたロープロファイルプラグコネクタの分解斜視図である。
【図１Ａ】図１のコネクタの一部の上部平面図であり、アクチュエータおよびカム部材が、コネクタ筺体後方部分の上で適所にある。
【図１Ｂ】図１Ａと同じ図であるが、アクチュエータおよびカム部材が排除され、コネクタ筺体後方部分凹部とアクチュエータチャネルを例示する。
【図２Ａ】ロールピンの上へのアセンブリの前に図１のコネクタにおいて利用されるアクチュエータの斜視図である。
【図２Ｂ】図２Ａと同じ図であるが、その一端部においてロールピンを把持するように互いに接触したアクチュエータのプルタブ部分の２つの部分を例示する。
【図３Ａ】図１のプラグコネクタにおいて利用されるラッチ部材の斜視図である。
【図３Ｂ】図３Ａのラッチ部材の側面図である。
【図４Ａ】図１のプラグコネクタの斜視図であるが、アクチュエータがコネクタ筺体上の適所にある。
【図４Ｂ】図４Ａと同じ図であるが、ラッチ部材が、その前方位置においてコネクタ筺体およびアクチュエータロールピンに組み付けられている。
【図４Ｃ】図４Ｂのコネクタの上部平面図の拡大部分である。
【図４Ｄ】図４Ｃの線Ａ−Ａに沿って取られた断面図であり、コネクタ筺体凹部内のアクチュエータロールピンの前方位置を例示する。
【図５Ａ】図４Ｂに類似する斜視図であるが、アクチュエータロールピンがコネクタ筺体凹部内のその最後部の位置に移動する。
【図５Ｂ】図５Ａのラッチ部材の拡大上部平面図であり、関連したアクチュエータが、コネクタ筺体内のその最後部の位置にある。
【図５Ｃ】図５Ｂの線Ａ−Ａに沿って取られた断面図であり、ラッチアームの自由端が持ち上げられるように、コネクタ筺体凹部内のその最後部の位置にあるロールピンを例示する。
【図６Ａ】回路板に取り付けられた反対側のコネクタアセンブリと係合された図１のコネクタの斜視図である。
【図６Ｂ】図６Ａの嵌合されたコネクタアセンブリの上部平面図である。
【図６Ｃ】図６Ｂの線Ａ−Ａに沿って取られた図６Ｂの嵌合されたコネクタアセンブリの拡大断面詳細図である。
【発明を実施するための形態】
【００１２】
本開示は、様々な形態にある実施形態の影響を受け得るが、本開示は、本開示の原理の例示とみなされることになるという理解、ならびに本開示を例示されるようなものに限定することを意図されないという理解を持って、特定の実施形態が、図面に示され、かつ詳細に本明細書に記載されることになる。
【００１３】
そのように、特徴または態様に対する参照は、本開示のある例の特徴または態様を記載することが意図されるものであり、その全ての実施形態が記載された特徴または態様を有する必要があることを暗示するものではない。なおその上に、その記載は、多数の特徴を例示することに留意されたい。一定の特徴が、潜在的なシステム設計を例示するために共に組み合わされているが、それらの特徴はまた、明示的に開示されない他の組み合わせにおいて使用されてもよい。それ故、描写された組み合わせは、別段記述されない限り、限定することを意図されない。
【００１４】
図面に例示された実施形態では、本開示の様々な要素の構成や移動を説明するために使用された方向の表現、例えば上、下、左、右、前、および後などは、絶対的なものではなくて、相対的なものである。これらの表現は、それらの要素が図面に示される位置にあるときに適合する。しかしながら、要素の位置の記載が変わる場合、それに応じて、これらの表現が変更されることになる。
【００１５】
図１は、本開示に従って構築されたロープロファイルコネクタ１０の分解図である。コネクタ１０は、２つの部分１４、１６から形成されたコネクタ筺体１２を有し、マルチワイヤケーブル１８の一端部を受け入れると共にコネクタ１０の嵌合ブレードを画定する回路カード２０の一部を受け入れる中空内部を画定する。コネクタ筺体１２は、反対側の第１および第２の（前方および後方）端部２２、２４を含み、その前方端部２２が、反対側のレセプタクルコネクタ７１（図６Ｃ）のレセプタクルまたはガイドフレーム７０と嵌合するように構成され、一方、後方端部２４が、ケーブル１８を受け入れるように構成される。
【００１６】
コネクタ筺体１２は、２つの異なる部分を有するように見られ得る。第１の、または前方の部分３０は、上記したように反対側のコネクタアセンブリと係合するが、回路カード２０のための保護筺体も提供し、更に、反対側のコネクタとの適切な嵌合をもたらす極性スロット３２を含み得る。第２の、または後方の部分３４は、第１の部分よりも全体のサイズおよび高さが大きく、それは、本開示のコネクタに側面から見たときにいくらか階段状の外観を与える。第１の部分３０を取り囲む可撓性ＥＭＩガスケット３６が提供され得、それは、コネクタ１０が反対側のコネクタアセンブリ（図６Ａ〜Ｂ）のガイドフレーム７０と嵌合されるときにそれが押し付けられ得るように、コネクタ筺体の第１および第２の部分３０、３４の接点に位置する。
【００１７】
ラッチ部材４０が提供され、それは、図３Ａ〜Ｂにおいて、細長い基部４１と基部４１からある角度で延びる２つの翼部分４２と、を備える、概ねＴ字形構成を有するように見られ得る。翼部分４２は、リベット、または他の適切な締結具４４に適応する開口４３を開けられる。翼部分４２が、それらのそれぞれの締結具４４によってコネクタ筺体１２だけに固定されるように、ただ１つのラッチアーム４５が画定され、ラッチ部材４０の長さ方向に延びる。ラッチアーム４５は、アクチュエータ５０の移動に応答して上または下に自由に移動する自由端４６において終端する。ラッチ部材４０の自由端４６は、反対側のコネクタアセンブリに形成された対応する両開口７２に係合するように構成されたフック４７の形態で１つ以上の係合部材を有する。上記したように、ラッチ部材４０は、その後方翼部分４２で固定され、それ故、反対側のコネクタアセンブリからラッチフック４７を係脱および係合するために、上方および下方に選択的に促され得る片持ちラッチアーム４５を呈する。
【００１８】
締結具４４は、ラッチ部材およびその関連したラッチアームを閉じた位置、または係合位置に維持し、そこで、ラッチアーム係合フックが反対側のガイドフレーム７０の開口７２に係合することになる。ラッチ部材４０およびそのラッチアーム４５は、アクチュエータ５０を引くと上方に偏向することになり、ラッチ部材４０の片持ちの取り付けが、以下により詳細に説明されるように、アクチュエータ５０の引きに対してそれを下方に促す。
【００１９】
上記したように、アクチュエータ５０は、単純な引き動作によってラッチ部材自由端４６を持ち上げるように提供される。図２Ａ〜Ｂはアクチュエータ５０を描写し、アクチュエータが、前方および後方の両端部５２、５３を備える細長い本体部分５１を有することが見られ得る。アクチュエータ５０は、耐久性材料、例えばＰＥＴまたは同様のものなどの一片から形成され、それ自体の上に、好適には中点において、折り畳まれ、アクチュエータ５０に２倍の厚さの片を提供する。アクチュエータ片の両側が、プラスチックもしくは超音波溶接、接着剤、または同様のものによって結合されてもよい。アクチュエータ５０はまた、それが、アクチュエータ前方端部５２において、ロールピン５５として示される円筒形カム部材５４を取り囲んで把持し得るように、それ自体の上に折り畳まれる。摩耗問題が、コネクタ１０の繰り返される取り付けや取り外しの間に生じることを阻止するように、ロールピンは、好適には金属から形成される。窓５６が、アクチュエータ５０の中央に設けられ、それは、本体部分５１がロールピン５５の上に折り畳まれるときに、ロールピン５５の両端部間でアクチュエータ５０の概ね中心部に位置付けられるスロット５８を画定する。アクチュエータ５０の後方端部５３は、ユーザによるその把持が容易になるように、前方端部５２よりも広くすることができる。アクチュエータ５０は、コネクタ筺体の第２の部分３４よりも長い長さを有し、それ故、それが、配線収納部または同様のものにおける接近のために後方に突き出し得る。
【００２０】
図３Ａ〜Ｂは、ラッチ部材４０を例示する。アクチュエータ５０の移動に応答してラッチ部材４０を上または下に促す手段を提供するために、ラッチ部材４０が、ラッチアーム４５において概ね中心に配置されると共にラッチアーム自由端４６に近接したカム面４８を備えている。このカム面４８は、ラッチアーム４５の本体から容易に型抜きされ得、周囲のＵ字型窓４８ａによって部分的に画定される。窓４８ａは、「Ｕ」の開口がラッチアーム自由端４６に向くように好適に方向付けられる。これに関して、タブ４９は、カム面４８によって画定され、例示された実施形態では、タブ４９は、ある角度で下方に、かつラッチ部材４０の翼部分４２の方へ後方に曲げられる。このカム面４８の角度は、ラッチ部材４０の後方端部が、その翼部分４３において締結具４４によってコネクタ筺体１２に固定されるように、アクチュエータカム部材５４に戻り力を加えるのに役立つ。したがって、ラッチアーム４５は、上方および下方に自由に偏向する。
【００２１】
ラッチアーム４５の上向きの偏向は、アクチュエータ５０が、第１の方向に、後方に引かれるときに起こり、アクチュエータカム部材５４が、コネクタ筺体凹部６０の前方端部において図４Ｄに示されるその第１の操作位置から図５Ｃに示されるその第２の操作位置まで移動する。これが起こるときに、ラッチアーム係合フック４７が、両ガイドフレーム開口７２から持ち上げられ、コネクタ１０は、ガイドフレーム７０から取り外され得る。ラッチ部材カム面は、引く（第１の）方向から角度をオフセットされた第２の方向にある角度で下に延びる。ラッチアーム自由端は、その下向きの位置、または、係合位置に戻る傾向があるので、下方に角度が付いたカム面が、図５Ｃおよび６Ｃにおいて矢印ＲＦによって示される戻り力をロールピン５５の上に加える。これは、アクチュエータ上の引っ張りが緩和されるときに、コネクタ筺体凹部６０において前方にロールピン５５を移動させる。この構成によって、ラッチ部材４０のカム面が、コネクタ筺体凹部６０内に維持され、コネクタアセンブリの全体の高さを低減する。
【００２２】
タブ４９と、その角度が付いた、または傾斜されたカム面４８は、それがアクチュエータ５０の前方端部５２において画定されたスロット５８を通って延びることを許容する幅を有する。アクチュエータ窓５６の使用は、アクチュエータがラッチ部材カム面４８の両側上で引く力をロールピン５５に加えることを結果としてもたらし、それはまた、ロールピン５５を延ばし、ラッチ部材カム面４８と直接接触になり、それ故、この接触が純粋に金属同士の接触である。故に、従来のプラスチックと金属のインターフェースで起こり得るような異種材料に起因するカム部材／カム面部材のうちの一方の劣化について心配がない。
【００２３】
図１および４Ａに最もよく例示されるように、コネクタ筺体の第２の部分は、その前方部分に近接して形成された凹部６０を含む。この凹部６０は、矩形構成であり、コネクタ筺体１２の幅方向に延びる。凹部６０は、アクチュエータ５０の所望の移動の長さ、またはストローク「Ｓ」に対応する選択された長さを有し、そこでロールピン５５が移動してラッチ部材カム面４８と接触し、逆もまた同様である。凹部６０は、コネクタ筺体の第２の部分の前方および後方端部に対してそれぞれ開く一対の両スロット６１、６２を有する。前方スロット６１は、ラッチアーム自由端に適応し、一方で、凹部後方スロット６２は、ラッチアームの本体の部分に適応する。凹部前方スロット６１は、コネクタ１０の外部と連絡し、一方、凹部後方スロット６２は、コネクタ筺体後方部分チャネル６４と連絡する。凹部後方スロット６２は、コネクタ筺体の第２の部分３４の上部面に形成された長さ方向チャネル６４と連絡し、このチャネル６４は、アクチュエータの一部分に適応する。
【００２４】
凹部６０は、ロールピン５５を捕捉して、その移動を所望のストロークＳに拘束するのに役立つ。ストロークの長さは、好適には、それがラッチ部材カム面４８と接触してアクチュエータカム部材５４を維持するようなものであり、また、アクチュエータ５０は、ストロークを超えて引かれることができないように、ロールピン５５の後方移動に停止をもたらす。それはまた、アクチュエータ前方端部５２およびその関連したスロット５８、ならびにラッチ部材カム面４８に適応し、そのタブ４９は、凹部６０の底部の方へアクチュエータスロット５８を通って延びる。ラッチ部材カム面タブ４９とアクチュエータスロット５８の両方は、好適には、凹部６０の幅とコネクタ筺体後方部分チャネル６４の幅よりも小さい幅を有する。同様に、アクチュエータスロット５８およびラッチ部材カム面タブ４９の長さが、凹部６０内にカムの移動を閉じ込めるか捕捉するために、コネクタ筺体後方部分凹部６０の長さよりも小さいかその長さにほぼ等しいことが好適である。ロールピン５５の移動を凹部６０内に捕捉することによって、ロールピン５５が、ラッチ部材カム面４８と接触して維持され、戻り力の印加を確実にしてロールピン５５を移動させ、アクチュエータ５０上の引く力が解放されるときにその第１の操作位置まで戻す。
【００２５】
本開示の好適な実施形態が図示され記載されるが、当業者は、前述の記載および添付の特許請求の範囲の趣旨や範囲から逸脱することなく、様々な修正を考案し得ることが想定される。
【図１】
2016524308.tif 000003
【図１Ａ】
2016524308.tif 000004
【図１Ｂ】
2016524308.tif 000005
【図２Ａ】
2016524308.tif 000006
【図２Ｂ】
2016524308.tif 000007
【図３Ａ】
2016524308.tif 000008
【図３Ｂ】
2016524308.tif 000009
【図４Ａ】
2016524308.tif 000010
【図４Ｂ】
2016524308.tif 000011
【図４Ｃ】
2016524308.tif 000012
【図４Ｄ】
2016524308.tif 000013
【図５Ａ】
2016524308.tif 000014
【図５Ｂ】
2016524308.tif 000015
【図５Ｃ】
2016524308.tif 000016
【図６Ａ】
2016524308.tif 000017
【図６Ｂ】
2016524308.tif 000018
【図６Ｃ】
2016524308.tif 000019
【国際調査報告】
2016524308.tif 000020
2016524308.tif 000021